(57)【特許請求の範囲】
【請求項１】
ふところ部を備えた鋸刃ハウジングに回転自在に備えた複数のホイールにエンドレス状の帯鋸刃を巻回すると共に前記鋸刃ハウジングをベース上に移動自在に設け、ワークを載置する第１テーブルを前記鋸刃ハウジングのふところ部内に前記鋸刃ハウジングの走行方向に向けてほぼ水平に延伸すると共に前記第１テーブルの両端をベース上に備えた支持部を介して支持してなる竪型帯鋸盤において、
前記第１テーブルの一方端の両側と前記支持部との間に帯鋸刃を挿通可能な隙間を設けるべく前記第１テーブルを上下動する昇降駆動装置を設け、前記支持部に、前記第１テーブルの一方端側の鋸刃交換位置に位置する前記鋸刃ハウジングのホイールに装填すべき帯鋸刃を案内する複数のガイド部材を、前記鋸刃ハウジング方向へ突出して設け、
前記複数のガイド部材において、中央部のガイド部材は両側のガイド部材よりも短く、かつ低く設けてあることを特徴とする竪型帯鋸盤。
【発明の詳細な説明】
【０００１】
【発明の属する技術分野】
本発明は、竪型帯鋸盤に関する。
【０００２】
【従来の技術】
従来、竪型帯鋸盤としての本体移動式帯鋸盤１０１は図７において右方にはふところ部１０３を備えた断面逆Ｃ字状をなす鋸刃ハウジング１０５が床上に設置された架台からなる基台１０７にガイド部１０９を介して図７の紙面に対して垂直方向（Ｘ軸方向）に走行移動可能に設けられている。
【０００３】
鋸刃ハウジング１０５にはエンドレス状の帯鋸刃ＢＳと、この帯鋸刃ＢＳを掛回支持する駆動ホイール１１１、側部と上部の従動ホイール１１３，１１５が設けられており、駆動ホイール１１１がホイール用駆動モータ（図示省略）により回転駆動される。
【０００４】
エンドレス状の帯鋸刃ＢＳは駆動ホイール１１１と２つの従動ホイール１１３，１１５に三角形状をなすように掛け回されており、その一側がふところ部１０３の開口側を上部フレーム１１７から下部フレーム１１９へ上から下に通過走行するように設けられている。
【０００５】
また、ワークを載置する第１テーブル１２１が下部フレーム１１９の上方のふところ部１０３内に、鋸刃ハウジング１０５の走行方向（Ｘ軸方向）に向けてほぼ水平に延伸されており、第１テーブル１２１の両端が基台１０７の一部を構成する図８に示されている第１テーブル支持架台１２３に載置、固定される構造で取り付けられている。
【０００６】
また、帯鋸刃ＢＳの切断ラインＣＬより図７において左側には、帯鋸刃ＢＳをエンドレスに通過走行する隙間Ｄを介して第１テーブル１２１に隣接するように第２テーブル１２５が基台１０７の一部を構成する複数の第２テーブル支持架台１２７に固定されている。
【０００７】
以上のように、第１テーブル１２１は両端が第１テーブル支持架台１２３で支持されているだけで、第１テーブル１２１の中間の下方は空間部１２９となっており、この空間部１２９を鋸刃ハウジング１０５の下部フレーム１１９が走行する構造である。
【０００８】
【発明が解決しようとする課題】
ところで、従来の本体移動式帯鋸盤１０１においては、帯鋸刃ＢＳを交換するためには鋸刃ハウジング１０５が第１テーブル１２１の一方端側の鋸刃交換位置へ移動されてから、図７に示されているように帯鋸刃ＢＳが鋸刃ハウジング１０５のホイール１１１，１１３，１１５から外された後に第１テーブル１２１と第１テーブル支持架台１２３との取付部分の間から外されたり、新たな帯鋸刃ＢＳが入れられたりする必要がある。
【０００９】
例えば、新たな帯鋸刃ＢＳを取り付けるために第１テーブル１２１と第１テーブル支持架台１２３との取付部分の間から帯鋸刃ＢＳが挿通されるには、図８に示されているようにボルトＡを緩めてから帯鋸刃ＢＳがボルトＡとボルトＢの間に挿通され、ボルトＡを締めてからボルトＢを緩める。次いで帯鋸刃ＢＳがボルトＢの下から第１テーブル１２１の下へ入れられてからボルトＢが締められる。
【００１０】
次いで、帯鋸刃ＢＳが鋸刃ハウジング１０５のホイール１１１，１１３，１１５へ掛けられる。
【００１１】
なお、既に使用された帯鋸刃ＢＳが鋸刃ハウジング１０５のホイール１１１，１１３，１１５から外されて第１テーブル１２１と第１テーブル支持架台１２３との取付部分の間から挿通されて本体移動式帯鋸盤１０１から外されるには、上述した帯鋸刃ＢＳの装填順序の逆の手順で行われる。
【００１２】
以上のように、第１テーブル１２１の支持点から帯鋸刃ＢＳを挿通するには時間がかかり、帯鋸刃ＢＳを通した後に鋸刃ハウジング１０５へ運んでホイール１１１，１１３，１１５に確実に装填するには帯鋸刃ＢＳが第１テーブル１２１の下面と鋸刃ハウジング１０５との狭い部分を通過するのでかなり厄介な作業であった。以上のように帯鋸刃ＢＳを交換するには２０数分を要することもあり、時間がかかるという問題点があった。
【００１３】
本発明は上述の課題を解決するためになされたもので、その目的は、第１テーブルとその支持点との間に帯鋸刃を容易に挿通すると共にこの帯鋸刃を鋸刃ハウジングのホイールへ容易に装填し得る竪型帯鋸盤を提供することにある。
【００１４】
【課題を解決するための手段】
本発明は、前述のごとき従来の問題に鑑みてなされたもので、ふところ部を備えた鋸刃ハウジングに回転自在に備えた複数のホイールにエンドレス状の帯鋸刃を巻回すると共に前記鋸刃ハウジングをベース上に移動自在に設け、ワークを載置する第１テーブルを前記鋸刃ハウジングのふところ部内に前記鋸刃ハウジングの走行方向に向けてほぼ水平に延伸すると共に前記第１テーブルの両端をベース上に備えた支持部を介して支持してなる竪型帯鋸盤において、
前記第１テーブルの一方端の両側と前記支持部との間に帯鋸刃を挿通可能な隙間を設けるべく前記第１テーブルを上下動する昇降駆動装置を設け、前記支持部に、前記第１テーブルの一方端側の鋸刃交換位置に位置する前記鋸刃ハウジングのホイールに装填すべき帯鋸刃を案内する複数のガイド部材を、前記鋸刃ハウジング方向へ突出して設け、
前記複数のガイド部材において、中央部のガイド部材は両側のガイド部材よりも短く、かつ低く設けてあることを特徴とするものである。
【００３６】
【発明の実施の形態】
以下に、本発明の竪型帯鋸盤における鋸刃交換装置及びこの鋸刃交換装置を用いた鋸刃交換方法の実施の形態について図面を参照して説明する。
【００３７】
図１及び図２を参照するに、本実施の形態に係わる本体移動式の竪型帯鋸盤１は、床上に設置された架台からなる基台３をベースにしており、この基台３の図２において左方にはふところ部５を備えた断面Ｃ字状をなす鋸刃ハウジング７が図１において左右方向（Ｘ軸方向）に走行移動可能に設けられている。
【００３８】
鋸刃ハウジング７にはエンドレス状の帯鋸刃ＢＳと、この帯鋸刃ＢＳを掛回支持する回転可能な駆動ホイール９、側部の従動ホイール１１と、上部の従動ホイール１３と、駆動ホイール９を回転駆動させるホイール用駆動モータ（図示省略）が備えられている。
【００３９】
より詳しくは、鋸刃ハウジング７は駆動ホイール９及びホイール用駆動モータを収納する下部フレーム１５と、この下部フレーム１５の上面の片側に立設されて従動ホイール１１を収納する支柱フレーム１７と、この支柱フレーム１７の上部に一体的に固定され従動ホイール１３を収納する上部フレーム１９とから成り、各フレーム５、７、９により図２において右方向が開口されたふところ部５を備えた断面Ｃ字状をなしている。
【００４０】
エンドレス状の帯鋸刃ＢＳは駆動ホイール９と従動ホイール１１と従動ホイール１３に三角形状をなすように掛け回されており、その一側がふところ部５の開口側を上部フレーム１９から下部フレーム１５へ上から下に通過走行しており、帯鋸刃ＢＳの他側が支柱フレーム１７内の従動ホイール１１を経て下から上へ走行するよう設けられている。
【００４１】
また、ワークＷを載置する第１テーブル２１が前述した下部フレーム１５の上方のふところ部５内に、換言すれば帯鋸刃ＢＳの切断ラインＣＬより図２において左側に位置しており、鋸刃ハウジング７の走行方向（図１において左右方向；Ｘ軸方向）に向けてほぼ水平に延伸されており、第１テーブル２１の両端が基台３の一部を構成する支持部としての例えば前端側第１テーブル支持架台２３と後端側第１テーブル支持架台２５の上に載置される構造で取り付けられている。
【００４２】
また、帯鋸刃ＢＳの切断ラインＣＬより図２において右側には、帯鋸刃ＢＳをエンドレスに通過走行する隙間Ｄを介して第１テーブル２１に隣接するように第２テーブル２７が設けられている。より詳しくは、第２テーブル２７は本実施の形態では図２に示されているように２個の断面四角形状のパイプ２９がほぼ水平に間隔を介して並行にＸ軸方向に延伸されており、２個のパイプ２９がＸ軸方向に適宜間隔に設けた複数の第２テーブル支持架台３１にボルト等の取付具により固定されている。
【００４３】
なお、鋸刃ハウジング７は床上に図１において左右方向に延伸したレール３３上を図示せざるモータ等の回転駆動装置により走行駆動される車輪３５と、第２テーブル支持架台３１に図２の紙面に対して垂直方向（図１において左右方向；Ｘ軸方向）に延伸したリニアガイド３７とを介してＸ軸方向に移動走行自在に設けられている。
【００４４】
また、鋸刃ハウジング７は図１において実線で示されているように第１テーブル２１の左端側つまり前方側が切断開始位置であり、図１において２点鎖線で示されているように第１テーブル２１の右端側つまり後方側が切断終了位置である。なお、本実施の形態では、上記の切断開始位置が帯鋸刃ＢＳを交換するときの鋸刃交換位置となる。
【００４５】
より詳しくは、第１テーブル２１は本実施の形態では図１及び図２に示されているように５個の断面四角形状のパイプ３９がほぼ水平に並列に隣接された状態でＸ軸方向に延伸されており、５個のパイプ３９の図１において右端（後方端）が後端側第１テーブル支持架台２５の上に載置され、ボルト等の取付具により固定されている。
【００４６】
一方、上記の５個のパイプ３９の図１において左端の下面は、図１及び図５に示されているように連結部材４１で一体的に連結されており、この連結部材４１が前端側第１テーブル支持架台２３の上に載置される。より詳しくは連結部材４１の図５において左右端側が前端側第１テーブル支持架台２３を構成する右支柱４３と左支柱４５の上端の基準ベース４７に載置され支持されてボルト等の取付具で固定されている。なお、連結部材４１は右支柱４３と左支柱４５で支持される部分以外の他の部分の下方は空間となっている。
【００４７】
以上のように、５個のパイプ３９は両端が前端側第１テーブル支持架台２３と後端側第１テーブル支持架台２５で支持されているだけで、５個のパイプ３９の下方は空間部４９となっており、この空間部４９を鋸刃ハウジング７の下部フレーム１５が走行する構造である。
【００４８】
なお、上記の第１テーブル２１の５個のパイプ３９の上面と第２テーブル２７の２個のパイプ２９の上面にはそれぞれ、Ｙ軸方向へ延伸された複数のローラ支持台５１が適宜間隔に設けられ、各ローラ支持台５１にはワークＷを載置し且つ円滑に移動可能にするためのローラ５３が多数設けられている。
【００４９】
また、上記の第１テーブル２１上にはワークＷをクランプするクランプ装置５５を備えた切断幅位置決め装置５７が設けられている。切断幅位置決め装置５７は図２の実線並びに２点鎖線に示されているようにワークＷの切断幅を位置決めするためにリニアガイド５７Ａ（図１参照）に沿って帯鋸刃ＢＳの切断ラインＣＬの方向に向かってＹ軸方向へ前進及び後退するように構成されている。
【００５０】
したがって、鋸刃ハウジング７が切断開始位置に位置する状態で、クランプ装置５５によりクランプされたワークＷは切断幅位置決め装置５７により切断幅が位置決めされる。鋸刃ハウジング７が図１において右方向の切断終了位置へ走行移動することにより、ワークＷは鋸刃ハウジング７内のエンドレスに回転する帯鋸刃ＢＳにより切断される。
【００５１】
図１及び図５を参照するに、前端側第１テーブル支持架台２３を構成する右支柱４３と左支柱４５との間のほぼ中央には、第１テーブル２１の連結部材４１のほぼ中央を持ち上げるための昇降駆動装置としての例えばテーブル昇降用シリンダ５９が設けられている。第１テーブル２１はテーブル昇降用シリンダ５９のピストンロッド６１により持ち上げられて連結部材４１の下面が右支柱４３と左支柱４５の基準ベース４７から離反し、図６に示されているように帯鋸刃ＢＳを挿通可能な第１隙間としての例えば隙間Ｓ１と第２隙間としての例えば隙間Ｓ２が形成される。
【００５２】
右支柱４３の図５において右側面（図４において下側面）と左支柱４５の図５において左側面（図４において上側面）には、切断開始位置（鋸刃交換位置）に位置する鋸刃ハウジング７の各ホイール９，１１，１３に交換すべき帯鋸刃ＢＳを案内する板状のガイド部材６３Ａ，６３Ｂが図１及び図３に示されているように先端に向けて上向きの傾斜部６５を有する形状に設けられている。また、ガイド部材６３Ａ，６３Ｂの先端は鋸刃ハウジング７の下部フレーム１５の上面に位置している。
【００５３】
なお、ガイド部材６３Ａ，６３Ｂの形状や取付位置は帯鋸刃ＢＳを鋸刃ハウジング７の各ホイール９，１１，１３に案内するものであればよく、上記の本実施の形態に限定されない。
【００５４】
なお、右支柱４３と左支柱４５の上端側には図５に示されているように板状のガイドブラケット６７が設けられており、このガイドブラケット６７にはテーブル昇降用シリンダ５９のピストンロッド６１の両側に位置するように中間ガイド部材６９が図３及び図４において右方向に突出されている。
【００５５】
上記構成により、鋸刃ハウジング７に帯鋸刃ＢＳを装填する際には、先ず鋸刃ハウジング７が鋸刃交換位置へ移動される。
【００５６】
第１テーブル２１の連結部材４１を前端側第１テーブル支持架台２３の右支柱４３と左支柱４５に固定しているボルト等の取付具が外されてから、テーブル昇降用シリンダ５９のピストンロッド６１の上昇により、図６に示されているように第１テーブル２１の連結部材４１のほぼ中央が持ち上げられて、連結部材４１の下面が右支柱４３と左支柱４５の基準ベース４７から離反されて隙間Ｓ１，Ｓ２が形成される。
【００５７】
装填すべき帯鋸刃ＢＳが上記の隙間Ｓ１，Ｓ２のうちの一方の隙間Ｓ１から挿通されて図４においてＢＳ１の状態になり、帯鋸刃ＢＳの図４において下側が一時的にガイド部材６３Ａの傾斜部６５に載置される。なお、帯鋸刃は隙間Ｓ２から挿通しても構わない。あるいは、隙間Ｓ１と隙間Ｓ２の両方から挿通しても構わない。
【００５８】
次いで、テーブル昇降用シリンダ５９のピストンロッド６１が下降することにより、図５に示されているように連結部材４１が右支柱４３と左支柱４５に載置される。さらにピストンロッド６１が下降することにより、ピストンロッド６１の先端が連結部材４１の下面から離反して第３隙間としての例えば隙間Ｓ３が形成され、上記の帯鋸刃ＢＳは隙間Ｓ３を挿通されてＢＳ１の状態からＢＳ２の状態になり、帯鋸刃ＢＳの図４において下側と中央付近が一時的にガイド部材６３Ａの傾斜部６５と中間ガイド部材６９に載置される。
【００５９】
次いで、再びテーブル昇降用シリンダ５９のピストンロッド６１の上昇により、図６に示されているように第１テーブル２１の連結部材４１のほぼ中央が持ち上げられて、連結部材４１の下面が右支柱４３と左支柱４５の基準ベース４７から離反されて、再び隙間Ｓ１，Ｓ２が形成される。
【００６０】
帯鋸刃ＢＳが上記の隙間Ｓ２から挿通されて図４においてＢＳ２の状態になり、帯鋸刃ＢＳがガイド部材６３Ａの傾斜部６５と中間ガイド部材６９とガイド部材６３Ｂの傾斜部６５に載置される。
【００６１】
なお、前述の工程で帯鋸刃が隙間Ｓ２から挿通されているときには、この工程では隙間Ｓ１から挿通されることになる。あるいは、すでに隙間Ｓ１，Ｓ２の両方から挿通されているときには、この工程は不要となる。
【００６２】
次いで、テーブル昇降用シリンダ５９のピストンロッド６１が下降することにより、図５に示されているように連結部材４１が右支柱４３と左支柱４５の基準ベース４７に載置される。連結部材４１は右支柱４３と左支柱４５にボルト等の取付具で固定される。
【００６３】
ガイド部材６３Ａ，６３Ｂの先端側は鋸刃ハウジング７の下部フレーム１５の上面に位置しているので、帯鋸刃ＢＳは図４においてＢＳ３の状態から各ガイド部材６３Ａ，６３Ｂに案内されて図３に示されているように第１テーブル２１の下面と下部フレーム１５の上面との間を容易に通過して鋸刃ハウジング７の図１において右側に位置する各ホイール９，１１，１３へ容易に装填することができる。
【００６４】
なお、既に使用されて交換すべき帯鋸刃ＢＳを鋸刃ハウジング７のホイール９，１１，１３から外して第１テーブル２１から外すためには、上述した新たな帯鋸刃ＢＳを装填する手順と逆に行うことにより、容易に外すことができる。つまり、鋸刃ハウジング７のホイールから外された帯鋸刃ＢＳは図４においてＢＳ３の状態にされ、テーブル昇降用シリンダ５９により第１テーブル２１の連結部材４１が昇降されてＢＳ３の状態から隙間Ｓ３を通過してＢＳ２へ、ＢＳ２の状態から隙間Ｓ２を通過してＢＳ１へ、ＢＳ１の状態から隙間Ｓ１を通過して容易に外される。
【００６５】
なお、この発明は前述した実施の形態に限定されることなく、適宜な変更を行うことによりその他の態様で実施し得るものである。
【００６６】
【発明の効果】
以上のごとき発明の実施の形態の説明から理解されるように、本発明によれば、鋸刃ハウジングに帯鋸刃を装填する際には、鋸刃ハウジングが鋸刃交換位置へ移動される。第１テーブルの一方端を支持部へ固定している取付具が外されてから、テーブル昇降駆動装置により第１テーブルの一方端が持ち上げるので、第１テーブルの一方端の両側と支持部との間に第１隙間と第２隙間を形成できる。この第１隙間と第２隙間から帯鋸刃が容易に挿通できる。
【００６７】
次いで、テーブル昇降駆動装置を作動して第１テーブルを下降して第１テーブルの一方端の両側を支持部へ載置し、テーブル昇降駆動装置と第１テーブルの下面に第３隙間を形成できるので、上記の帯鋸刃を第３隙間に挿通できる。
【００７０】
そして、第１テーブルの下面に挿通された帯鋸刃は、ガイド部材により案内することにより第１テーブルの下面と鋸刃ハウジングとの間を容易に通過せしめて鋸刃ハウジングの各ホイールへ容易に装填できる。
【図面の簡単な説明】
【図１】本発明の実施の形態を示すもので、本体移動式帯鋸盤の正面図である。
【図２】図１の右側面図である。
【図３】本発明の実施の形態を示すもので、前端側第１テーブル支持架台の付近の拡大正面図である。
【図４】図３の矢視ＩＶ−ＩＶ線の平面図である。
【図５】図１の部分的な左側面図を示すもので、前端側第１テーブル支持架台の付近の左側面図である。
【図６】図１の部分的な左側面図を示すもので、前端側第１テーブル支持架台の付近の左側面図である。
【図７】従来の本体移動式帯鋸盤における部分的な断面を含む概略的な側面図である。
【図８】従来の第１テーブルの支持点から帯鋸刃を挿通する状態を示す斜視図である。
【符号の説明】
１  本体移動式帯鋸盤
３  基台（ベース）
５  ふところ部
７  鋸刃ハウジング
９  駆動ホイール
１１  従動ホイール
１３  従動ホイール
２１  第１テーブル
２３  前端側第１テーブル支持架台（支持部）
２５  後端側第１テーブル支持架台（支持部）
３９  パイプ
４１  連結部材
４３  右支柱
４５  左支柱
５９  テーブル昇降用シリンダ（昇降駆動装置）
６１  ピストンロッド
６３Ａ，６３Ｂ  ガイド部材
６５  傾斜部
６９  中間ガイド部材
Ｓ１，Ｓ３  隙間（第１隙間）
Ｓ２  隙間（第２隙間）
【図１】
0004430178.tif 000002
【図２】
0004430178.tif 000003
【図３】
0004430178.tif 000004
【図４】
0004430178.tif 000005
【図５】
0004430178.tif 000006
【図６】
0004430178.tif 000007
【図７】
0004430178.tif 000008
【図８】
0004430178.tif 000009